(57)【要約】【課題】単独でも動作可能なドライブを複数備えたビデオデッキの各ドライブの分割・統合を、ケーブル配線替えを行なうことなく容易に可能とする。【解決手段】それぞれのドライブ１に備えられた着脱可能なデータバスコネクタ４を互いに接合して接続させることにより、複数のドライブ１同士を相互に接続させていずれかのＩ／Ｆ＆セレクタ２又はＩ／Ｆ３に接続された共通の外部機器との間でデータを送受信し、逆に、データバスコネクタ４を互いに離脱させることにより、複数のドライブ１に分割して互いに独立させてそれぞれ異なる外部機器との間でデータを送受信させる。また、ドライブ１のデータバスコネクタ４とビデオ表示モニタのビデオ端子とを直接接合して接続し、ドライブ１の記録媒体をビデオ表示する。また、分割時、ドライブ１の記録・削除動作を禁止し、再生動作のみを許容し、分割したドライブ１と記録媒体とを安全に他人に貸与することも可能とする。【選択図】　　　　図２
2004134000.tif 000002
【特許請求の範囲】
【請求項１】
装着された記録媒体にデータを記録し、且つ、該記録媒体に記録されたデータを再生することができるそれぞれ独立した記録・再生機能を有する記録再生ドライブを複数個備えているビデオデッキにおいて、着脱可能なコネクタをそれぞれの記録再生ドライブに備え、該コネクタを互いに接合して接続させることにより、複数個の前記記録再生ドライブ同士を相互に接続させて共通の外部機器とのデータの送受信、あるいは、装着された前記記録媒体間のデータの送受信を可能とし、一方、該コネクタを互いに離脱させることにより、複数個の前記記録再生ドライブを分割して、互いに独立させてそれぞれ異なる外部機器とのデータ送受信を可能とすることを特徴とするビデオデッキ。
【請求項２】
請求項１に記載のビデオデッキにおいて、装着された記録媒体にデータを記録・再生するそれぞれ独立した記録・再生機能を有する複数個の前記記録再生ドライブのいずれか１乃至複数が、装着された記録媒体に映像情報を記録・再生させる映像記録再生ドライブであり、且つ、該映像記録再生ドライブとデータの送受信する前記外部機器が前記記録媒体に記録された映像情報を表示することができるビデオ表示モニタであり、更に、前記映像記録再生ドライブに備えられた着脱可能な前記コネクタと接合して接続可能なビデオ端子を前記ビデオ表示モニタに備え、前記ビデオ表示モニタに備えられた前記ビデオ端子と分割された状態にある前記映像記録再生ドライブに備えられた前記コネクタとを互いに接合して接続することにより、いずれかの前記映像記録再生ドライブの前記コネクタを介して、前記記録媒体に記録された映像情報を当該映像記録再生ドライブにより前記ビデオ表示モニタに表示させることを可能としていることを特徴とするビデオデッキ。
【請求項３】
請求項１又は２に記載のビデオデッキにおいて、装着された記録媒体にデータを記録・再生するそれぞれ独立した記録・再生機能を有する複数個の前記記録再生ドライブが、前記コネクタを互いに接合して接続させている場合においては、各前記記録再生ドライブが有している全ての記録・再生機能を動作させることができ、一方、複数個の前記記録再生ドライブが、前記コネクタを離脱させて互いに分割されている場合においては、分割された各前記記録再生ドライブのそれぞれに装着されている前記記録媒体に対する当該記録再生ドライブの記録・再生機能の動作を一部制限することができることを特徴とするビデオデッキ。
【請求項４】
請求項３に記載のビデオデッキにおいて、複数個の前記記録再生ドライブが前記コネクタを離脱させて互いに分割されている場合に、分割された前記記録再生ドライブに装着されている前記記録媒体に対する当該記録再生ドライブの一部制限する記録・再生機能の動作が、前記記録媒体に対する記録・削除動作であり、再生動作のみを許容するものであることを特徴とするビデオデッキ。
【請求項５】
請求項１乃至４のいずれかに記載のビデオデッキにおいて、複数個の前記記録再生ドライブが、前記コネクタを離脱させて互いに分割されている場合には、分割された前記記録再生ドライブに装着されている前記記録媒体を取り出すことができない構造からなっていることを特徴とするビデオデッキ。
【請求項６】
請求項１乃至５のいずれかに記載のビデオデッキにおいて、装着された記録媒体にデータを記録・再生するそれぞれ独立した記録・再生機能を有する複数個の前記記録再生ドライブのいずれか複数が、装着された記録媒体に映像情報を記録・再生させる映像記録再生ドライブであり、且つ、該映像記録再生ドライブのいずれかが、装着された記録媒体に当該映像記録再生ドライブにより記録された映像情報を表示することができる当該映像記録再生ドライブ専用の専用ビデオ表示モニタを内蔵する内蔵記録再生ドライブからなっており、前記コネクタを互いに接合して接続させることにより、複数の前記映像記録再生ドライブ同士を相互に接続させて共通の外部機器とのデータ送受信を可能とした状態にある場合には、前記内蔵記録再生ドライブを含む複数の前記映像記録再生ドライブが、共通の前記外部機器である共通のビデオ表示モニタに接続されて、該ビデオ表示モニタ上にいずれかの前記映像記録再生ドライブに装着された記録媒体に記録されている映像情報が表示され、逆に、前記コネクタを離脱させることにより、分割させて、互いに独立させて異なる外部機器とのデータ送受信を可能とした状態にある場合には、前記専用ビデオ表示モニタを内蔵した前記内蔵記録再生ドライブが前記外部機器として前記専用ビデオ表示モニタと接続されて、前記専用ビデオ表示モニタ上に前記内蔵記録再生ドライブに装着された記録媒体に記録されている映像情報が表示され、一方、前記専用ビデオ表示モニタを内蔵していない前記映像記録再生ドライブのいずれかに、前記外部機器である前記ビデオ表示モニタが接続されて、該ビデオ表示モニタ上に当該記録再生ドライブに装着された記録媒体に記録されている映像情報が表示されることを特徴とするビデオデッキ。
【請求項７】
請求項６に記載のビデオデッキにおいて、前記専用ビデオ表示モニタを内蔵する前記内蔵記録再生ドライブが、電池により電源駆動が可能であり、持ち運び可能なポータブルビデオデッキとして構成されていることを特徴とするビデオデッキ。
【請求項８】
請求項１乃至７のいずれかに記載のビデオデッキにおいて、装着された記録媒体にデータを記録・再生するそれぞれ独立した記録・再生機能を有する複数個の前記記録再生ドライブのいずれかが、装着された記録媒体に音声情報を記録・再生させる音声記録再生ドライブからなっており、前記コネクタを互いに接合して接続させることにより、前記音声記録再生ドライブを含む複数の前記記録再生ドライブ同士を相互に接続させた状態にある場合に、前記音声記録再生ドライブとは異なる前記記録再生ドライブに装着された記録媒体に記録されている音声情報を、前記音声記録再生ドライブに装着された記録媒体に記録させることを可能としていることを特徴とするビデオデッキ。
【請求項９】
請求項８に記載のビデオデッキにおいて、前記音声記録再生ドライブが、電池により電源駆動が可能であり、持ち運び可能なポータブルビデオデッキとして構成されていることを特徴とするビデオデッキ。
【請求項１０】
映像情報を画面表示するビデオ表示モニタにおいて、請求項２に記載のビデオデッキの前記映像記録再生ドライブに備えられている着脱可能な前記コネクタと接合して接続可能なビデオ端子を備えて、該ビデオ端子と前記映像記録再生ドライブに備えられた前記コネクタとを互いに接合して接続することにより、前記映像記録再生ドライブに装着された記録媒体に記録されている映像情報を当該映像記録再生ドライブにより当該ビデオ表示モニタに表示させることを可能としていることを特徴とするビデオ表示モニタ。
【請求項１１】
請求項１０に記載のビデオ表示モニタが、テレビ放送の映像信号を画面表示させることができるテレビモニタであることを特徴とするビデオ表示モニタ。
【発明の詳細な説明】
【０００１】
【発明の属する技術分野】
本発明は、ビデオデッキ及びビデオ表示モニタに関し、特に、装着された記録媒体にデータを記録させ、且つ、該記録媒体に記録されたデータを再生することができるそれぞれ独立した複数個の記録再生ドライブ、例えば、ＤＶＤ（Ｄｉｇｉｔａｌ　　Ｖｅｒｓａｔｉｌｅ　Ｄｉｓｃ）とＶＨＳ（Ｖｉｄｅｏ　　Ｈｏｍｅ　　Ｓｙｓｔｅｍ）などの記録媒体に対してそれぞれ記録・再生することができる複数個の記録再生ドライブを備えているビデオデッキと、該ビデオデッキと接続して再生ビデオを表示可能なビデオ表示モニタとに関する。
【０００２】
【従来の技術】
一般に、家電用の電子機器は、他の電子機器と組み合わせて利用されることが多い。例えば、ＡＶ機器であれば、テレビとビデオとを組み合わせたり、テレビ、ＶＨＳ、ＤＶＤを組み合わせたりして利用している。しかし、各電子機器を組み合わせるためには、それぞれの電子機器に対して複数の接続ケーブルを接続し合うという煩雑な配線を行なわなければならず、配線作業が面倒になっている。また、一方の電子機器の上に、組み合わせたい他方の電子機器を載置する（例えば、テレビモニタの上にＶＨＳビデオデッキを載置する）ということができない場合や、あるいは、形状的に互いに組み合わせることが可能な形状にはなっていない場合、あるいは、組み合わせる電子機器それぞれの大きさが均一ではない場合などにおいては、それぞれの電子機器を別々に設置するために、広い設置場所が必要であった。
【０００３】
かかる問題を解決する対応策として、電子機器の中には、２種類以上の電子機器の機能を組み込んで一つの複合電子機器としている例が良く知られている。例えば、ＡＶ機器にあっては、音声メディア（音声情報）を扱う場合であれば、ＣＤ（Ｃｏｍｐａｃｔ　　Ｄｉｓｃ）、ＭＤ（Ｍｉｎｉ　Ｄｉｓｃ）、カセットテープ、ラジオを相互に接続して一つに組み込んだ形態のステレオデッキを構成している例が良く知られており、映像メディア（映像情報）の場合であれば、テレビとビデオデッキとを相互に接続して一つに組み込んだ形態にしたり、ＶＨＳとＤＶＤとを相互に接続して一つに組み込んだ形態にしたり、あるいは、複数種類の記録媒体に対して形状などの互換性を持たせることにより一つのドライブ（記録再生ドライブ。以下、単に、ドライブと略記する）にて複数種類の記録媒体の記録・再生を行なうことができる形態としているものも良く知られている。
【０００４】
かくのごとき複合電子機器の中で特に良く知られているものの一つとして、テレビとＶＨＳビデオデッキとが相互に接続されて組み込まれているビデオデッキ搭載テレビ受像機がある。ビデオデッキ搭載テレビ受像機においては、ＶＨＳビデオデッキのビデオ記録媒体にテレビ映像を記録させたり、ＶＨＳビデオデッキのビデオ記録媒体に記録されているビデオ情報をテレビモニタに表示させるなど、一台でＶＨＳビデオデッキとテレビ受像機との両方の機能を利用することができる。
【０００５】
また、例えば、ＤＶＤとＶＨＳとの２つのドライブを接続して一つに組み込んでいる複合映像記録再生機器を用いる場合は、ＤＶＤ，ＶＨＳの双方のＡＶ機器を所持して、それぞれを使用することができる場合と同等の利便性を一台のみで得られるだけでなく、ＤＶＤビデオに記録されている画像データ（ＤＶＤソフト）をＶＨＳビデオに録画させたり、逆に、ＶＨＳビデオに記録されている画像データ（ＶＨＳソフト）をＤＶＤビデオに録画させたりすることも一台の複合映像記録再生機器により可能となる（例えば、特許文献１参照）。
他の例として、ハードディスクドライブとＤＶＤドライブとの２つのドライブを相互に接続して一つに組み込んでいる複合データ記録装置を用いる場合には、ＤＶＤに記録されているデータをハードディスクに蓄積させることや、逆に、ハードディスクに蓄積されているデータをＤＶＤに記録させることが一台の複合データ記録装置により可能である（例えば、特許文献２参照）。
【０００６】
かかる複合電子機器の利点としては、一台に２種類以上の複数の機能が搭載されているため、設置場所を節約することができること、また、１回の購入で２種類以上の複数の機能を備えた電子機器を手に入れることができることなどがある。
【０００７】
また、例えば、ＤＶＤとＣＤのように、記録媒体の形状や大きさが同一である場合には、一つのドライブで複数種類の記録媒体の記録・再生を行なうことができる複合情報記録再生機器も存在している。該複合情報記録再生機器の場合、記録媒体をドライブに装着する場所は一箇所だけであるが、記録媒体にデータを記録するシステム、記録媒体からデータを取り出すシステムは、装着された各記録媒体の種類により異なるシステムが適用されるように構成されている。かくのごとき同一の形状・大きさからなる記録媒体を用いる複合情報記録再生機器においては、複数のドライブが接続されて組み込まれている複合電子機器の場合よりも更に設置スペースを小さくすることができるという利点がある（例えば、特許文献３参照）。
【０００８】
【特許文献１】
特開平０９−１０２９２３号公報（第５頁、第１図）
【特許文献２】
特開平１１−２９６９５９号公報（第３−５頁、第１図）
【特許文献３】
特開平１０−３０２２９５号公報（第３−５頁、第１図）
【０００９】
【発明が解決しようとする課題】
ところで、前述のごとく、複数種類の電子機器を一台の複合電子機器により実現することができる商品は、ユーザが一人の場合であれば、一台で２つ以上の情報（メディア）が利用できる上に設置スペースも小さくて済むため、物理的なメリットは大きい。しかしながら、ユーザが２人以上、例えば家族で共通に使用する場合においては、かかる複合電子機器を構成した商品が一台しか設置されていない場合には、一人のユーザしか同時には利用することができない。例えば、ＤＶＤとＶＨＳとが相互に接続されていて一台の複合電子機器が構成されている場合、一方でＤＶＤを使用したいユーザがあり、他方でＶＨＳを利用したいユーザが存在している場合には、双方の要求を同時には達成することができないため、一方のユーザが使用を中止せざるを得なく、もし、どうしても同時に使用したい場合には、別途、要求が同時に発生するユーザの数だけ複合電子機器に対応するデッキを購入することが必要であった。
【００１０】
更に、複数個のドライブが相互に接続されている形態の複合デッキにおいては、別々のデッキを購入する場合に比して、スペースが小さくなっているものの、やはり横方向に大きくスペースを取られてしまう状況にある。また、録画再生用ビデオデッキを備えたようなテレビ受像機であっても、壁掛けテレビなどに用いようとする場合にあっては、ビデオデッキの置き場所に困ることが生じてしまう。
また、例えば、ＤＶＤビデオや音楽ＣＤを別の部屋や屋外などでも再生したい場合には、別途、屋外などでも使用することができる小型のＤＶＤデッキや小型ＣＤデッキを購入する必要があった。
【００１１】
更に、別々に使用するという前提の下で各電子機器を一旦入手した後、各電子機器を一箇所に纏めて設置している場合は、各電子機器を接続ケーブルにより相互に接続して使用するということも可能ではあるが、前述のごとく、かかる場合にあっては、各電子機器を接続する接続ケーブルの配線の煩雑さや、各電子機器の設置スペースの問題なども付随して発生することとなる。
更に、以前に記録した記録媒体をそのままでは他のユーザが視聴することができない場合や、あるいは、他のユーザに記録媒体のみを貸し出した場合に、他のユーザが誤って貸し出した記録媒体に記録されていたデータを削除してしまったり、改竄してしまう恐れもあった。
【００１２】
本発明は、かかる課題を解決するためになされたものであり、複数個の記録再生ドライブが相互に接続されて一つの商品を構成するビデオデッキにあって、複数個の各記録再生ドライブをそれぞれ容易に分割してそれぞれが独立して記録・再生動作を行なうことができ、且つ、分割して独立して記録再生ドライブを使用する場合には、動作可能な記録・再生機能を制限する（例えば、記録・削除機能を抑止し、再生機能のみを許容する）ことを可能にしたビデオデッキ及び該ビデオデッキと接続可能なビデオ表示モニタを提供せんとするものである。
【００１３】
【課題を解決するための手段】
第１の発明は、装着された記録媒体にデータを記録し、且つ、該記録媒体に記録されたデータを再生することができるそれぞれ独立した記録・再生機能を有する記録再生ドライブを複数個備えているビデオデッキにおいて、着脱可能なコネクタをそれぞれの記録再生ドライブに備え、該コネクタを互いに接合して接続させることにより、複数個の前記記録再生ドライブ同士を相互に接続させて共通の外部機器とのデータの送受信、あるいは、装着された前記記録媒体間のデータの送受信を可能とし、一方、該コネクタを互いに離脱させることにより、複数個の前記記録再生ドライブを分割して、互いに独立させてそれぞれ異なる外部機器とのデータ送受信を可能とするビデオデッキとすることを特徴とするものである。
【００１４】
而して、記録媒体に対する記録・再生機能を有する複数個の記録再生ドライブが、着脱可能なコネクタによりそれぞれ接合して接続されており、該コネクタを互いに離脱させるのみで、それぞれの記録再生ドライブを分割してそれぞれ独立した記録・再生機能を有するドライブとして使用することを可能にしている。もって、まず、複数個の記録再生ドライブ間を接続するための煩雑な配線や複数個の記録再生ドライブを設置する余計な設置場所を要することなく、複数個の記録再生ドライブを収納した一つのビデオデッキにすることが可能であり、更に、各記録再生ドライブを前記コネクタを互いに離脱して分割することにより、一方のドライブ機能を使用したいユーザと、他方のドライブ機能を使用したいユーザとの双方の要求を同時に満たすことが可能になる。
【００１５】
第２の発明は、前記第１の発明に記載のビデオデッキにおいて、装着された記録媒体にデータを記録・再生するそれぞれ独立した記録・再生機能を有する複数個の前記記録再生ドライブのいずれか１乃至複数が、装着された記録媒体に映像情報を記録・再生させる映像記録再生ドライブであり、且つ、該映像記録再生ドライブとデータの送受信する前記外部機器が前記記録媒体に記録された映像情報を表示することができるビデオ表示モニタであり、更に、前記映像記録再生ドライブに備えられた着脱可能な前記コネクタと接合して接続可能なビデオ端子を前記ビデオ表示モニタに備え、前記ビデオ表示モニタに備えられた前記ビデオ端子と分割された状態にある前記映像記録再生ドライブに備えられた前記コネクタとを互いに接合して接続することにより、いずれかの前記映像記録再生ドライブの前記コネクタを介して、前記記録媒体に記録された映像情報を当該映像記録再生ドライブにより前記ビデオ表示モニタに表示させることを可能としているビデオデッキとすることを特徴とするものである。
【００１６】
而して、映像記録再生ドライブに備えられた着脱可能な前記コネクタと接合可能なビデオ端子を、例えば薄型テレビモニタに設け、且つ、前記薄型テレビモニタの背面側に該ビデオ端子を添え付けることとして、分割した前記映像記録再生ドライブの前記コネクタを前記薄型テレビモニタのビデオ端子と接合して接続すれば、ビデオデッキを設置する設置場所を別途設けなくても良く、更には、前記薄型テレビモニタが壁掛け可能なテレビであれば、例えば、分割したビデオデッキの映像記録再生ドライブの前記コネクタを前記薄型テレビモニタの背面側に設けられたビデオ端子に接合して接続した状態で、壁に掛けることも可能であり、ビデオデッキのために余計な設置スペースを設ける必要はなくなる。
【００１７】
第３の発明は、前記第１又は第２の発明に記載のビデオデッキにおいて、装着された記録媒体にデータを記録・再生するそれぞれ独立した記録・再生機能を有する複数個の前記記録再生ドライブが、前記コネクタを互いに接合して接続させている場合においては、各前記記録再生ドライブが有している全ての記録・再生機能を動作させることができ、一方、複数個の前記記録再生ドライブが、前記コネクタを離脱させて互いに分割されている場合においては、分割された各前記記録再生ドライブのそれぞれに装着されている前記記録媒体に対する当該記録再生ドライブの記録・再生機能の動作を一部制限することができるビデオデッキとすることを特徴とするものである。
【００１８】
第４の発明は、前記第３の発明に記載のビデオデッキにおいて、複数個の前記記録再生ドライブが前記コネクタを離脱させて互いに分割されている場合に、分割された前記記録再生ドライブに装着されている前記記録媒体に対する当該記録再生ドライブの一部制限する記録・再生機能の動作が、前記記録媒体に対する記録・削除動作であり、再生動作のみを許容するものであるビデオデッキとすることを特徴とするものである。
【００１９】
第５の発明は、前記第１乃至第４の発明のいずれかに記載のビデオデッキにおいて、複数個の前記記録再生ドライブが、前記コネクタを離脱させて互いに分割されている場合には、分割された前記記録再生ドライブに装着されている前記記録媒体を取り出すことができない構造からなっているビデオデッキとすることを特徴とするものである。
【００２０】
而して、前記第３乃至第５の発明のいずれかによれば、複数個の記録再生ドライブのうち、いずれかの記録再生ドライブと該記録再生ドライブにて再生可能な記録媒体に情報を記録して、前記コネクタを互いに離脱させて、ビデオデッキを分割して、他のユーザに貸与した場合であっても、貸し出したユーザによって誤って記録媒体の情報が改竄や削除などをされることを防ぐことができる。更に、前記第５の発明においては、例えば、記録再生ドライブに装着されている記録媒体を外部に取り出すために記録再生ドライブに用意されている取り出しボタンを操作しても、記録媒体を載置している媒体載置トレイが外部に引き出されたり、記録媒体自体が外部に引き出されたりすることがなく、たとえ、記録媒体にライトプロテクト（記録禁止）の機能が備えられていなくても、記録再生ドライブに装着されている記録媒体が取り出されて、他のドライブによって、記録媒体の情報が改竄や削除をされてしまう事態を防止することができる。
【００２１】
第６の発明は、前記第１乃至第５の発明のいずれかに記載のビデオデッキにおいて、装着された記録媒体にデータを記録・再生するそれぞれ独立した記録・再生機能を有する複数個の前記記録再生ドライブのいずれか複数が、装着された記録媒体に映像情報を記録・再生させる映像記録再生ドライブであり、且つ、該映像記録再生ドライブのいずれかが、装着された記録媒体に当該映像記録再生ドライブにより記録された映像情報を表示することができる当該映像記録再生ドライブ専用の専用ビデオ表示モニタを内蔵する内蔵記録再生ドライブからなっており、前記コネクタを互いに接合して接続させることにより、複数の前記映像記録再生ドライブ同士を相互に接続させて共通の外部機器とのデータ送受信を可能とした状態にある場合には、前記内蔵記録再生ドライブを含む複数の前記映像記録再生ドライブが、共通の前記外部機器である共通のビデオ表示モニタに接続されて、該ビデオ表示モニタ上にいずれかの前記映像記録再生ドライブに装着された記録媒体に記録されている映像情報が表示され、逆に、前記コネクタを離脱させることにより、分割させて、互いに独立させて異なる外部機器とのデータ送受信を可能とした状態にある場合には、前記専用ビデオ表示モニタを内蔵した前記内蔵記録再生ドライブが前記外部機器として前記専用ビデオ表示モニタと接続されて、前記専用ビデオ表示モニタ上に前記内蔵記録再生ドライブに装着された記録媒体に記録されている映像情報が表示され、一方、前記専用ビデオ表示モニタを内蔵していない前記映像記録再生ドライブのいずれかに、前記外部機器である前記ビデオ表示モニタが接続されて、該ビデオ表示モニタ上に当該記録再生ドライブに装着された記録媒体に記録されている映像情報が表示されるビデオデッキとすることを特徴とするものである。
【００２２】
第７の発明は、前記第６の発明に記載のビデオデッキにおいて、前記専用ビデオ表示モニタを内蔵する前記内蔵記録再生ドライブが、電池により電源駆動が可能であり、持ち運び可能なポータブルビデオデッキとして構成されているビデオデッキとすることを特徴とするものである。
【００２３】
而して、前記第６又は第７の発明によれば、例えば、記録再生ドライブの一つが、記録媒体に映像情報を記録・再生する機能を有する映像記録再生ドライブであり、該映像記録再生ドライブ専用の小型のビデオ表示モニタを内蔵させた内蔵記録再生ドライブとして構成することにより、該内蔵記録再生ドライブの前記コネクタを互いに離脱させて分割した状態においては、記録媒体に記録された映像情報を前記内蔵記録再生ドライブ専用の小型のビデオ表示モニタにより表示させることが可能であるので、分離して独立に使用している場合であっても、当該内蔵記録再生ドライブに対しては、他にビデオ表示モニタを用意する必要がなく、且つ、ビデオ表示モニタの設置スペースを新たに確保する必要がなくなる。更に、前記第７の発明においては、電池により、前記内蔵記録再生ドライブや専用の小型のビデオ表示モニタを電源駆動することを可能としており、該内蔵記録再生ドライブを分割して、車内や屋外などに持ち運んで視聴することも可能となる。
【００２４】
第８の発明は、前記第１乃至第７の発明のいずれかに記載のビデオデッキにおいて、装着された記録媒体にデータを記録・再生するそれぞれ独立した記録・再生機能を有する複数個の前記記録再生ドライブのいずれかが、装着された記録媒体に音声情報を記録・再生させる音声記録再生ドライブからなっており、前記コネクタを互いに接合して接続させることにより、前記音声記録再生ドライブを含む複数の前記記録再生ドライブ同士を相互に接続させた状態にある場合に、前記音声記録再生ドライブとは異なる前記記録再生ドライブに装着された記録媒体に記録されている音声情報を、前記音声記録再生ドライブに装着された記録媒体に記録させることを可能としていることを特徴とするものである。
【００２５】
第９の発明は、前記第８の発明に記載のビデオデッキにおいて、前記音声記録再生ドライブが、電池により電源駆動が可能であり、持ち運び可能なポータブルビデオデッキとして構成されているビデオデッキとすることを特徴とするものである。
【００２６】
而して、前記第８又は第９の発明によれば、例えば、記録再生ドライブの一つが、ＭＤやＣＤなどの記録媒体に音声情報を記録・再生する機能を有する音声記録再生ドライブである場合、該音声記録再生ドライブの前記コネクタを互いに接合して接続している状態、即ち、ビデオデッキを分割していない一体化した状態において、他の記録再生ドライブにおいて記録されている音声情報のみを抽出して、当該音声記録再生ドライブに装着されている記録媒体に録音させることが可能である。更に、前記第９の発明においては、電池により、前記音楽記録再生ドライブを電源駆動することを可能としており、該音楽記録再生ドライブを分割して、車内や屋外などに持ち運んで聴取することも可能となる。
【００２７】
第１０の発明は、映像情報を画面表示するビデオ表示モニタにおいて、前記第２の発明に記載のビデオデッキの前記映像記録再生ドライブに備えられている着脱可能な前記コネクタと接合して接続可能なビデオ端子を備えて、該ビデオ端子と前記映像記録再生ドライブに備えられた前記コネクタとを互いに接合して接続することにより、前記映像記録再生ドライブに装着された記録媒体に記録されている映像情報を当該映像記録再生ドライブにより当該ビデオ表示モニタに表示させることを可能としているビデオ表示モニタとすることを特徴とするものである。
【００２８】
第１１の発明は、前記第１０の発明に記載のビデオ表示モニタが、テレビ放送の映像信号を画面表示させることができるテレビモニタであることを特徴とするビデオ表示モニタとすることを特徴とするものである。
【００２９】
而して、前記第１０又は第１１の発明によれば、前述した第２の発明の場合と同様に、ビデオ表示モニタとして、例えば薄型テレビモニタを用い、映像記録再生ドライブに備えられた着脱可能な前記コネクタと接合可能なビデオ端子を、該薄型テレビモニタに設け、且つ、前記薄型テレビモニタの背面側に該ビデオ端子を添え付けることとして、分割した前記映像記録再生ドライブの前記コネクタを前記薄型テレビモニタのビデオ端子と接合して接続すれば、ビデオデッキを設置する設置場所を別途設けなくても良く、更には、前記薄型テレビモニタが壁掛け可能なテレビであれば、例えば、分割したビデオデッキの映像記録再生ドライブの前記コネクタを前記薄型テレビモニタの背面側に設けられたビデオ端子に接合して接続した状態で、壁に掛けることも可能であり、ビデオデッキのために余計な設置スペースを設ける必要はなくなる。
【００３０】
【発明の実施の形態】
以下、本発明に係るビデオデッキ及びビデオ表示モニタの一実施例について図面を用いながら説明する。図１は、本発明に係るビデオデッキの一実施例として、ＤＶＤとＶＨＳとの２つのドライブ（記録再生ドライブ。以下、単に、ドライブと略記する）を備えているビデオデッキの外観を示す外観図である。まず、図１に示すビデオデッキ１０を一台として使用する場合、当該ビデオデッキ１０に外部機器としてビデオ表示モニタ２０を接続して、ユーザは、ＤＶＤとＶＨＳとのいずれか一方のドライブ１をセレクタにより選択してビデオ表示モニタ２０に画面表示させて使用する。他方のドライブ１を使用したい場合も、セレクタを切り替えることにより使用することができる。このとき、ユーザが２人いて、一方のユーザはＤＶＤを、他方のユーザはＶＨＳを使用したい場合、図１（Ａ）のごとく、同じ場所で、一つのビデオ表示モニタ２０上に対して同時に２つのドライブ１を使用することは不可能であり、いずれか一方のドライブ１の使用をあきらめなければならない。
【００３１】
そこで、本発明に係るビデオデッキ１０においては、図１（Ｂ）に示すように、ＤＶＤとＶＨＳの２つのドライブ１に簡単に分割させて、別々の場所で、それぞれのドライブ１に別々のビデオ表示モニタ２０を簡単に接続して利用できるようにして、双方のユーザが、それぞれ求めるビデオデッキを互いに独立して使用することができる。
【００３２】
図２は、本発明に係るビデオデッキの内部構造の一例を示した構成図であり、ドライブを３つ備えている場合のビデオデッキの一例を示している。図２に示すビデオデッキ１０において、１は装着された記録媒体にデータを記録・再生する機能を有するドライブであり、２は各ドライブからのデータを外部機器と入出力するか否かを選択するセレクタ付き外部インターフェース即ちＩ／Ｆ＆セレクタであり、３はセレクタ機能が備えられていない外部インターフェース即ちＩ／Ｆであり、４は各ドライブを相互に接続して外部機器又は各記録媒体との間でデータを転送するためのデータバスコネクタであり、互に接合したり離脱したりすることができる着脱可能な構造からなっている。ここで、各ドライブ１には、図２のビデオデッキ１０に示すように、それぞれ、Ｉ／Ｆ＆セレクタ２又はＩ／Ｆ３のいずれかが備えられており、外部機器との電気的な接続が可能であり、例えば、モニタなどの外部機器との間でデータのやり取りを行なうことが可能である。また、それぞれのドライブ間を着脱可能なデータバスコネクタ４を用いて相互に接続することにより、他のドライブに備えられているＩ／Ｆ＆セレクタ２又はＩ／Ｆ３を介して外部機器との間とデータのやり取りを行なうことも可能である。
【００３３】
まず、図２において、３つのドライブ１（即ち第１のドライブ１−ａ乃至第３のドライブ１−ｃ）が、着脱可能なデータバスコネクタ４により相互に接合して接続されている。データバスコネクタ４により相互に接続されて、一台のビデオデッキとして使用されている場合には、３つのドライブ１のうちのいずれか一つ（図２においては、第３のドライブ１−ｃ）に接続されているＩ／Ｆ＆セレクタ２又はＩ／Ｆ３（図２においては、第３のドライブ１−ｃのＩ／Ｆ＆セレクタ２−ｃ）を、３つのドライブ１に共用される外部機器との間のメインのインターフェース（Ｉ／Ｆ）とする。
【００３４】
図２の例において、メインのインターフェース（Ｉ／Ｆ）であるＩ／Ｆ＆セレクタ２−ｃを備えた第３のドライブ１−ｃとは異なる他のドライブ１即ち第１のドライブ１−ａ及び第２のドライブ１−ｂと、メインのインターフェース即ちＩ／Ｆ＆セレクタ２−ｃとの間は着脱可能なデータバスコネクタ４を介して相互に接合して接続されている。また、図２に示す第２のドライブ１−ｂ、第３のドライブ１−ｃのインターフェース部（Ｉ／Ｆ＆セレクタ２−ｂ、Ｉ／Ｆ＆セレクタ２−ｃ）には、それぞれセレクタが設けられており、データの入出力を、当該ドライブとの間のインターフェース（Ｉ／Ｆ）で行なうか、あるいは、他のドライブのインターフェース（Ｉ／Ｆ）で行ない、当該ドライブとの間のインターフェース（Ｉ／Ｆ）は動作させないかのいずれかを選択できるように構成されている。
【００３５】
一方、セレクタ機能が付加されていないＩ／Ｆ３を備えている第１のドライブ１−ａの場合は、通常は、他のドライブのインターフェース（Ｉ／Ｆ）と切り替えて動作されることはない。しかし、他のドライブのインターフェース（Ｉ／Ｆ）と切り替えて動作させたい場合には、当該第１のドライブ１−ａのＩ／Ｆ３を介して外部機器との接続がなされていないオープン状態とすることにより、あるいは、Ｉ／Ｆ３を適当な終端部を用いて終端させた状態とすることにより、データバスコネクタ４を通って、他のＩ／Ｆ＆セレクタ２を介して、データの送受信を行なわせることもできる。
【００３６】
前述のごとく、データバスコネクタ４を互いに接合して接続することにより一台のビデオデッキとして使用されている場合には、各ドライブ１のセレクタは、メインのインターフェース（Ｉ／Ｆ）である第３のドライブ１−ｃのＩ／Ｆ＆セレクタ２−ｃのみを使用するという選択がなされ、外部機器と送受信されるデータは、当該メインのインターフェース（Ｉ／Ｆ）であるＩ／Ｆ＆セレクタ２−ｃを介して転送され、データバスコネクタ４を通って、各ドライブ１に入出力される。また、一台のビデオデッキとして使用されている場合には、ドライブ１に装着されている記録媒体間のデータの送受信を、データバスコネクタ４を介して行なわせることにより、いわゆるダビング動作を行なわせることも可能である。
【００３７】
次に、ドライブ１のうちの一つを、他のドライブと分割して独立させて使用する場合（即ち、ビデオデッキ１０を分割させた状態とする場合）には、当該ドライブ１と他のドライブ１との間を接続しているデータバスコネクタ４を外して（互いに離脱させて）、当該ドライブ１に備えられているインターフェース（Ｉ／Ｆ）即ちＩ／Ｆ＆セレクタ２又はＩ／Ｆ３を使用して、外部機器との間を接続する。しかる場合には、例えば、セレクタ機能が付加されていないＩ／Ｆ３を備えている第１のドライブ１−ａを分割して使用する場合は、そのまま、当該第１のドライブ１−ａに備えられているＩ／Ｆ３を使用して、外部の機器と接続し、また、例えば、セレクタ機能が付加されているＩ／Ｆ＆セレクタ２−ｂを備えている第２のドライブ１−ｂの場合は、セレクタの状態を、データバスコネクタ４を利用してメインのインターフェース（Ｉ／Ｆ）であるＩ／Ｆ＆セレクタ２−ｃを用いている設定から、当該第２のドライブ１−ｂに備えられているＩ／Ｆ＆セレクタ２−ｂを用いて、外部機器と接続する設定に切り替えて使用するようにする。
【００３８】
かくのごとく、本発明に係るビデオデッキ１０は、それぞれのドライブ１にＩ／Ｆ＆セレクタ２又はＩ／Ｆ３のいずれを備え、外部機器との間を接続する単独の独立したインターフェース（Ｉ／Ｆ）を提供すると共に、更に、着脱可能なデータバスコネクタ４を用いて、互いに接合して接続することにより、同一の外部機器との間を接続するビデオデッキ全体に共用可能なインターフェース（Ｉ／Ｆ）を提供し、データバスコネクタ４を着脱すると共にＩ／Ｆ＆セレクタ２に備えられたセレクタ機能を用いて使い分けることにより、それぞれのドライブ１単独で、それぞれ異なる外部機器と接続された状態であっても、逆に、一台のビデオデッキとして複数のドライブ１が、同一の外部機器と接続された状態であっても、いずれの状態でも、それぞれのドライブ１を使い分けることが可能である。
【００３９】
次に、本発明に係るビデオデッキ及びビデオ表示モニタの異なる実施例として、前記データバスコネクタ４の利用形態について更に説明する。本発明に係るビデオデッキ１０として、図１に示すＤＶＤやＶＨＳ用のドライブ１の如く、ドライブ１が映像情報の記録・再生を行なっている記録媒体を駆動するドライブであった場合、当該記録媒体に記録された映像情報を表示することができるビデオ表示モニタ２０（外部機器）とドライブ１との間で、インターフェース（Ｉ／Ｆ）即ちＩ／Ｆ＆セレクタ２又はＩ／Ｆ３を介して接続して再生を行なわせることとなるが、本実施例においては、かかるビデオ表示モニタ２０のビデオ端子の形状を、前述したデータバスコネクタ４と同様の形状にして、ビデオデッキ１０として分割された状態にあるドライブ１のデータバスコネクタ４を、当該ビデオ表示モニタ２０に備えられたビデオ端子（データバスコネクタ４を装着可能な形状からなるビデオ端子）と直接接合して接続することができるように形成したものである。
【００４０】
かくのごとき形状のビデオ端子を備えたビデオ表示モニタの一例を図３に示す。ここに、図３は、本発明に係るビデオデッキ及びビデオ表示モニタの他の実施例を示す外観図であり、本発明に係るビデオデッキ１０のドライブ１を分割して、ビデオ表示モニタ２０のビデオ端子にそれぞれ接続する様子を示したものである。図３において、図３（Ａ）は、ビデオデッキ１０として、２つのドライブ１例えば第１のドライブ１−ａと第２のドライブ１−ｂとを備えていることを示すビデオデッキ１０の鳥瞰図であり、図３（Ｂ）は、図３（Ａ）のビデオデッキ１０を立設した状態の鳥瞰図であり、図３（Ｃ）は、図３（Ｂ）のビデオデッキ１０の第１のドライブ１−ａと第２のドライブ１−ｂとの間を接続していたデータバスコネクタ４を離脱させて、２つのドライブ１−ａ，１−ｂを分割させた状態（即ち２つのビデオデッキに分割させた状態）を示す鳥瞰図である。
【００４１】
また、図３（Ｄ）は、第１のドライブ１−ａと第２のドライブ１−ｂとの２つに分割されたそれぞれのドライブのデータバスコネクタ４をビデオ表示モニタ２０のビデオ端子に装着して取り付けた状態を示す鳥瞰図であり、図３（Ｅ）は、図３（Ｄ）に示すビデオ表示モニタ２０の背面方向から見た鳥瞰図であり、ビデオデッキ１０の２つのドライブ１−ａ，１−ｂの取り付け状態を示しているものである。図３（Ｅ）において、５は、ドライブ１にそれぞれ備えられているデータバスコネクタ４と直接接合可能な形状からなるビデオ表示モニタ２０のビデオ端子である。
【００４２】
図３（Ｄ）又は図３（Ｅ）に示すように、例えば、ビデオ表示モニタ２０として、液晶ディスプレイなどからなる薄型のモニタ乃至薄型のテレビであり、背面側に、薄型のビデオ表示モニタ２０を立設するための支柱が備え付けられている場合であれば、かかる支柱側面に、ビデオ表示モニタ２０のビデオ端子５を配設させることとし、第１のドライブ１−ａと第２のドライブ１−ｂとの２つに分割されたそれぞれのドライブ１のデータバスコネクタ４を、ビデオ表示モニタ２０の支柱に備えられているビデオ端子５に直接接合させて接続することにより、ビデオデッキ１０をビデオ表示モニタ２０の背面側に、何ら配線を施すことなしに備え付けることができる。而して、ビデオ表示モニタ２０には、ビデオデッキ１０のいずれかのドライブ１を選択して記録媒体の映像情報を表示させることが可能となると共に、ビデオ表示モニタ２０と接続するビデオデッキ１０の設置場所を新たに確保する必要がなく、設置スペースを節約することが可能となる。また、薄型の当該ビデオ表示モニタ２０を壁に掛けて使用することが可能な場合においても、別途、ビデオデッキ１０の設置場所を設ける必要もなく、また、ビデオデッキ１０との間の配線を行なう必要もなく、壁掛け状態のビデオ表示モニタ２０にビデオデッキ１０を備え付けることが可能である。
【００４３】
次に、本発明に係るビデオデッキ及びビデオ表示モニタの更に異なる実施例として、ビデオデッキ１０の更に異なる使用形態について、図１を用いて説明する。
例えば、ＤＶＤにも記録可能な映像情報を、ＶＨＳビデオの記録媒体に記録していたとする。ここで、ＶＨＳビデオデッキを有していないが、前述のＶＨＳビデオの記録媒体に記録されている映像情報を鑑賞したいというユーザが他に存在していた場合、図１に示すように、ビデオデッキ１０のドライブ１を、ＤＶＤのドライブとＶＨＳのドライブとに分割して、かかるユーザに対しては、ＶＨＳのドライブからなる分割したビデオデッキごと貸与すると共に、前述のＶＨＳビデオの記録媒体を貸し出すことも可能である。しかし、ＶＨＳビデオの記録媒体を貸与する場合、貸し出したユーザが、ＶＨＳビデオの記録媒体に記録されている映像情報を、誤って削除したり、あるいは、他の情報によって上書きしてしまう恐れがある。
【００４４】
従って、本実施例においては、例えば、ビデオデッキ１０として、ＶＨＳのドライブがＤＶＤのドライブとデータバスコネクタ４により相互に接続されている一体化された状態にある場合に限り、いずれのドライブでも例えばＶＨＳのドライブでも情報の記録・再生機能を全面的に使用可能とする一方、データバスコネクタ４を互いに離脱させて、ドライブが互いに分割されている状態（ビデオデッキが分割された状態）にある場合には、いずれか一方のドライブ（例えばＶＨＳのドライブ）又は双方のドライブの記録・再生機能は、一部制限された状態とされ、例えば、再生機能のみが有効とされた読み出し専用のドライブの状態とされて、情報の記録・削除動作を禁止する状態に設定することとする。
【００４５】
而して、たとえ、ビデオデッキ１０を分割して、いずれか一方のドライブ例えばＶＨＳのドライブを、ＶＨＳビデオの記録媒体と共に、他人の貸与したとしても、分割されたＶＨＳのドライブとしては、記録・削除機能が禁止された読み出し専用との制限を付与された設定がなされることにより、貸し出した他人の操作により、ＶＨＳビデオの記録媒体に記録されている映像情報に対して削除、上書きがなされるような事態は発生することがなくなる。具体的には、例えば、データバスコネクタ４を互いに接合して、ＶＨＳドライブにＤＶＤドライブが接続されて一体化されたビデオデッキ１０の状態にある場合に限り、記録可能との情報をＶＨＳビデオの記録媒体に対して付加し、一方、データバスコネクタ４を互いに離脱させて、ＶＨＳドライブとＤＶＤドライブとが分割された状態にある場合には、かかる記録可能情報が記録されず、ライトプロテクト状態に設定されるようにし、記録可能情報が記録されていない（即ち、ライトプロテクト状態にある）記録媒体の場合には、ＶＨＳのドライブの記録ヘッドが動作しないように制限することとすれば良い。
【００４６】
更には、データバスコネクタ４を互いに離脱させて、ビデオデッキ１０が分割された状態にされている場合には、例えば、貸与したＶＨＳビデオの記録媒体を当該ＶＨＳドライブから外部に取り出すことを抑止する機構を設けることにより、他のＶＨＳドライブを用いて、貸与したＶＨＳビデオの記録媒体に上書きされてしまうことも防止することとしても良い。かくのごとく、装着された記録媒体をドライブから外部へ取り出すことを抑止する機構としては、例えば、装着された記録媒体そのものあるいは記録媒体が載置される媒体載置トレイを外部に引き出すための取り出しボタンの押下操作を無効とし、たとえ、該取り出しボタンの押下操作がなされても、外部に引き出されないような機構であっても良く、かかる抑止機構はハードウェア的な機構であるために、例えば、アプリケーションソフトウェア的に、前述のライトプロテクト機能（記録禁止機能）が定義されていないような記録媒体の場合であっても有効である。
【００４７】
次に、本発明に係るビデオデッキ及びビデオ表示モニタの更に異なる実施例として、ビデオデッキのいずれかのドライブに小型ビデオ表示モニタが内蔵されて構成されている場合について、図４を用いて説明する。ここに、図４は、本発明に係るビデオデッキの更に異なる構成の実施例を示す外観図である。
例えば、図１に示すように、ビデオデッキ１０のドライブを分割して、それぞれのドライブを独立させて使用する場合、分割されたそれぞれのドライブが駆動する記録媒体が、例えば、映像情報を記録・再生する記録媒体であった場合、独立させて使用するそれぞれのドライブに対して、映像情報を再生して表示するビデオ表示モニタ２０が必要となる。
【００４８】
図４のビデオデッキ１０′においては、図４（Ａ）に示すように、分割していない状態においては、例えば液晶ディスプレイなどからなる小型ビデオ表示モニタ２０′がＤＶＤのドライブ１′側のデッキ内に内蔵して格納されて、該小型ビデオ表示モニタ２０′が使用されない状態となる内蔵記録再生ドライブを構成しており、図４（Ｂ）に示すように、ビデオデッキ１０′を２つのドライブに分割した場合には、例えば分割したＤＶＤのドライブ１′に内蔵格納されている小型ビデオ表示モニタ２０′を開いて、ＤＶＤのドライブ１′単独で再生画像を表示するモニタとして使用するようにすることにより、分割時において、ＶＨＳのドライブ１用のビデオ表示モニタ２０以外に、ＤＶＤのドライブ１′用として他にビデオ表示モニタ（外部機器）を準備する必要がなくなる。即ち、小型ビデオ表示モニタ２０′は、内蔵記録再生ドライブであるＤＶＤのドライブ１′に専用の専用ビデオ表示モニタを構成している。
【００４９】
ここで、小型ビデオ表示モニタ２０′は、前述した図２のように、例えばＤＶＤのドライブ１′に備えられているＩ／Ｆ＆セレクタ２に接続されており、データバスコネクタ４が互いに接合されて、ビデオデッキ１０′として一体化されている状態にあれば、ＤＶＤのドライブ１′はデータバスコネクタ４を介してＶＨＳのドライブ１側に備えられているＩ／Ｆ＆セレクタ２に接続されているビデオ表示モニタ２０とデータを送受信している状態にあり、ＤＶＤのドライブ１′に備えられているＩ／Ｆ＆セレクタ２は、小型ビデオ表示モニタ２０′との接続が遮断された状態とされ、一方、データバスコネクタ４が互いに離脱されて、ビデオデッキ１０′として分割された状態にあれば、ＤＶＤのドライブ１′に備えられているＩ／Ｆ＆セレクタ２は、小型ビデオ表示モニタ２０′との接続がなされた状態に切り替えられる状態とされる。
【００５０】
また、図４に示す例においては、ＤＶＤのドライブ１′に内蔵されている小型ビデオ表示モニタ２０′を後部側の回転軸により開閉する構造とする例を示しているが、分割した際に小型ビデオ表示モニタ２０′をＤＶＤのドライブ１′上面にポップアップさせる構造とすることとしても良く、あるいは、小型ビデオ表示モニタ２０′をＤＶＤのドライブ１′に内蔵させずに、単にビデオデッキ１０′に添付させる形式とし、ＤＶＤのドライブ１′の表面上には、Ｉ／Ｆ＆セレクタ２のみを実装させることにより、分割した際に、ＤＶＤのドライブ１′の表面上に実装されているＩ／Ｆ＆セレクタ２に小型ビデオ表示モニタ２０′のビデオ端子を接合して接続した状態としてＤＶＤのドライブ１′上に小型ビデオ表示モニタ２０′を載置可能な構造とすることとしても良い。
【００５１】
更に、前述のごとく、ドライブがＤＶＤなどの場合であれば、ドライブも含めて小型ビデオ表示モニタ２０′用の電源も電池での駆動を可能にし、且つ、ドライブを小型化することにより、持ち運び可能とし、ポータブルビデオデッキとして、屋外での利用も可能である。
【００５２】
次に、本発明に係るビデオデッキ及びビデオ表示モニタの更に異なる実施例として、ビデオデッキのいずれかのドライブに音声出力端子を実装して構成されている場合について、図５を用いて説明する。ここに、図５は、本発明に係るビデオデッキの更に異なる構成の実施例を示す外観図である。
図５に示すビデオデッキ１０″においては、例えば、分割されるドライブのうちのいずれかのドライブが、ＭＤ（Ｍｉｎｉ　Ｄｉｓｃ），ＣＤ（Ｃｏｍｐａｃｔ　　Ｄｉｓｃ）、カセットテープなどのごとく、音声情報を記録・再生可能な記録媒体を駆動する音声専用ドライブ１″とされている場合を示しており、音声専用ドライブ１″には、Ｉ／Ｆ＆セレクタ２と接続されている音声出力端子（ジャック）６が固設されていて、該音声出力端子６に例えばイヤホンを接続して、音声専用ドライブ１″を駆動することにより、装着されている記録媒体に記録された音声情報を聴取することが可能である。即ち、音声専用ドライブ１″は装着された記録媒体に音声情報を記録・再生させる音声記録再生ドライブを構成している。
【００５３】
ここで、図５（Ａ）に示すごとく、ビデオデッキ１０″が、音声専用ドライブ１″も含めデータバスコネクタ４が互いに接合されて接続されている一体化された状態にある場合においては、音声専用ドライブ１″とは異なる他のドライブにより記録媒体に記録された音声情報を含む映像情報であっても、当該音声専用ドライブ１″が駆動する記録媒体に音声情報のみが抽出されて記録させる（ダビング動作を行なう）ことができる。従って、しかる後において、図５（Ｂ）のごとく、データバスコネクタ４が互いに離脱されてビデオデッキ１０″が分割された状態とされた場合においては、音声専用ドライブ１″の音声出力端子（ジャック）６にイヤホンなどを接続することにより、記録媒体に記録された音声情報を再生可能とすると共に、前述の図４の場合と同様に、音声専用ドライブ１″の電源も電池での駆動を可能にし、且つ、音声専用ドライブ１″を小型化することにより、持ち運び可能なポータブルデッキとして、屋外で音声（音楽）を楽しむことが可能である。
【００５４】
【発明の効果】
以上に記載した如く、本発明に係るビデオデッキ及びビデオ表示モニタによれば、データを記録媒体に記録し、該記録媒体に記録されたデータを再生することができるドライブ（即ち、記録再生ドライブ）を複数個有し、且つ、複数個の記録・再生用のドライブがそれぞれ着脱可能なコネクタによって相互に直接接合させて接続されていて、いずれのドライブのインターフェース（Ｉ／Ｆ）に接続されている外部機器であっても共用することを可能とし、一方、着脱可能なコネクタを互いに離脱させて複数個の各ドライブを分割して独立したドライブとしても使用することも可能としている。もって、まず、コネクタを直接接合可能とすることにより、煩雑な配線や余計な設置場所を要することなく、複数個のドライブを有する一つのビデオデッキとして構成することが可能であり、更に、コネクタを離脱させることにより各ドライブを分割して、複数のユーザに対して、それぞれ単独で各ドライブを使用させることも可能であり、あるドライブ機能を使用したいユーザと、該ドライブとは異なる別のドライブ機能を使用したいユーザとの双方の要求を、余計な配線や場所を要することなく、同時に満たすことが可能になる。
【００５５】
また、映像情報を記録・再生するドライブが記録した映像情報をビデオ表示するモニタやテレビに対して、ドライブに備えられたコネクタと直接接合して接続することが可能なビデオ端子を設けることにより、ビデオデッキの記録媒体に記録した映像情報をモニタやテレビにビデオ表示する際にも、ビデオデッキの設置場所を余計に設ける必要はなく、ビデオデッキのドライブからの映像情報をビデオ表示することが可能である。更には、ビデオ表示モニタとして薄型テレビを用いて、壁掛け可能なテレビとすれば、そのまま壁に掛けて視聴することも可能である。
【００５６】
更に、本発明によれば、例えば、ビデオデッキに備えられている複数個のドライブのうち、いずれかのドライブにより記録された記録媒体を他のユーザに貸与する場合において、当該ドライブのコネクタを他のドライブから離脱させて分割して、記録媒体と共に貸与することとする場合、分割された状態にされたドライブにあっては、記録・再生機能の一部を制限し、記録・削除機能を禁止して読み出し専用の機能のみ有効とするドライブとすることにより、貸与された他のユーザが当該ドライブを誤って使用して、貸与された記録媒体に記録されていた情報を改竄、削除してしまうことを防止することが可能である。更には、分割された状態のドライブにあっては、装着されている記録媒体を外部に取り出す機能を使用不能とする機構を併せ付与することにより、他のユーザが貸与されたドライブとは異なる他のドライブにより、貸与された記録媒体に記録されていた情報が改竄、削除されてしまうことも防止することが可能である。
【００５７】
更に、本発明によれば、分割される対象のドライブが、映像情報の記録・再生機能を有するドライブであり、該ドライブ専用のビデオ表示モニタを内蔵あるいは付加することにより、当該ドライブが分割された際に、内蔵あるいは付加された当該ドライブ専用のビデオ表示モニタを用いて、記録媒体に記録された映像情報を視聴することを可能としている。もって、分割された場合であっても、別途、ビデオ表示モニタを用意する必要がなく、また、専用のビデオ表示モニタとの接続用の接続ケーブルも不要であり、設置スペースを増加させる必要もない。更には、分割された際に、当該ドライブと当該ドライブ専用のビデオ表示モニタとに電池により電源供給することを可能とすることにより、ポータブルなビデオデッキとして、屋外においても使用することが可能となる。
【００５８】
更に、本発明によれば、分割される対象のドライブが、例えばＭＤやＣＤなどの記録媒体を駆動して音声情報の記録・再生を行なう音声専用ドライブである場合に、互いのドライブのコネクタを接合して一体化されたビデオデッキの状態においては、他のドライブにより記録されている音声情報を当該音声専用ドライブの記録媒体にも録音できるダビング機能を有し、且つ、当該音声専用ドライブに音声を出力することができる音声出力端子を備えていることにより、分割された際にも、前記音声出力端子に例えばイヤホンなどを接続にして録音されている音声情報を聴取することが可能であり、更には、当該音声専用ドライブに電池などにより電源供給することを可能とし、小型化することにより、ポータブルなビデオデッキとして、屋外においても使用することが可能となる。
【図面の簡単な説明】
【図１】本発明に係るビデオデッキの一実施例として、ＤＶＤとＶＨＳとの２つのドライブを備えているビデオデッキの外観を示す外観図である。
【図２】本発明に係るビデオデッキの内部構造の一例を示した構成図である。
【図３】本発明に係るビデオデッキ及びビデオ表示モニタの他の実施例を示す外観図である。
【図４】本発明に係るビデオデッキの更に異なる構成の実施例を示す外観図である。
【図５】本発明に係るビデオデッキの更に異なる構成の実施例を示す外観図である。
【符号の説明】
１，１′…ドライブ、１″…音声専用ドライブ、２…Ｉ／Ｆ＆セレクタ（セレクタ付き外部インターフェース）、３…Ｉ／Ｆ（外部インターフェース）、４…データバスコネクタ、５…ビデオ端子、６…音声出力端子（ジャック）、１０，１０′，１０″…ビデオデッキ、２０…ビデオ表示モニタ、２０′…小型ビデオ表示モニタ。
【図１】
2004134000.tif 000003
【図２】
2004134000.tif 000004
【図３】
2004134000.tif 000005
【図４】
2004134000.tif 000006
【図５】
2004134000.tif 000007